(57)【要約】【課題】本発明は、オートシャットオフ機能等により電源のＯＮ／ＯＦＦが繰り返される環境でも二次電池の充放電回数を低減し、コストアップすることなく二次電池の寿命劣化を防止する充電制御装置を提供する。【解決手段】装置電源１０３によるＲＡＭ１１６への電源供給が停止したときに、装置電源１０３に代わってＲＡＭ１１６へ電源供給を行う二次電池１０１を備える画像処理装置において、ラッチ回路１＿２０４、ラッチ回路２＿２０３を利用して装置電源１０３からＲＡＭ１１６に対する電源供給停止の要因を特定し、その結果に応じて、ＲＡＭ１１６と二次電池１０１の間に挿入されたＳＷ２０６を制御して、二次電池１０１からＲＡＭ１１６への給電を制御する。【選択図】図６
2014017996.tif 000002
【特許請求の範囲】
【請求項１】
装置電源による負荷への電源供給が停止したときに、前記装置電源に代わって前記負荷へ電源供給を行う二次電池の充電制御装置であって、
前記負荷と前記二次電池との間に挿入され、前記二次電池から前記負荷への給電／切断を切り替えるスイッチ手段と、
前記電源供給が停止したときに当該停止の要因を特定する要因特定手段と、
前記要因特定手段により特定された停止の要因に応じて、前記スイッチ手段により前記二次電池から前記負荷への給電を制御する制御手段とを備えることを特徴とする充電制御装置。
【請求項２】
前記要因特定手段は、少なくとも、停電と、それ以外を特定するものであることを特徴とする請求項１に記載の充電制御装置。
【請求項３】
前記要因特定手段は、少なくとも、予め設定された時刻もしくは時間経過後にソレノイド内蔵の電源ＳＷにより電源を切断するソフト制御による電源切断と、それ以外を特定するものであることを特徴とする請求項１に記載の充電制御装置。
【請求項４】
前記要因特定手段は、少なくとも、ユーザーによる電源切断とそれ以外を特定するものであることを特徴とする請求項１に記載の充電制御装置。
【請求項５】
前記制御手段は、前記装置電源による前記負荷への電源供給が停止し、かつ前記要因特定手段により停電と特定された場合は、前記スイッチ手段を制御して前記二次電池から前記負荷への給電を行うことを特徴とする請求項２に記載の充電制御装置。
【請求項６】
前記制御手段は、前記装置電源による前記負荷への電源供給が停止し、かつ前記要因特定手段により前記ソフト制御による電源切断と特定された場合は、前記スイッチ手段を制御して前記二次電池から前記負荷への給電を停止することを特徴とする請求項３に記載の充電制御装置。
【請求項７】
前記制御手段は、前記装置電源による前記負荷への電源供給が停止し、かつ前記要因特定手段により前記ユーザによる電源切断と特定された場合は、前記スイッチ手段を制御して前記二次電池から前記負荷への給電を停止することを特徴とする請求項４に記載の充電制御装置。
【請求項８】
前記制御手段は、前記装置電源による前記負荷への電源供給が停止し、かつ前記要因特定手段により前記ユーザによる電源切断と特定された場合は、前記スイッチ手段を制御して前記二次電池から前記負荷への給電を一定時間のみ行い、その後、給電を停止することを特徴とする請求項４に記載の充電制御装置。
【請求項９】
前記一定時間は、前記要因特定手段により停電と特定されたときの前記二次電池から前記負荷への給電時間よりも短いことを特徴とする請求項８記載の充電制御装置。
【請求項１０】
装置電源による負荷への電源供給が停止したときに、前記装置電源に代わって前記負荷へ電源供給を行う二次電池の充電制御装置であって、
前記電源供給が停止したときに当該停止の要因を特定する要因特定手段と、
電源供給が開始されたときに、前回の電源供給が停止した要因を前記要因特定手段により特定し、その結果に応じて、前記二次電池への充電を制御する制御手段とを備えることを特徴とする充電制御装置。
【請求項１１】
前記制御手段は、前記要因特定手段により停電と特定された場合は、電源供給が開始されたときに前記二次電池への充電を行うことを特徴とする請求項１０に記載の充電制御装置。
【請求項１２】
前記制御手段は、前記要因特定手段により、予め設定された時刻もしくは時間経過後にソレノイド内蔵の電源ＳＷにより電源を切断するソフト制御による電源切断と特定された場合は、電源供給が開始されたときに前記二次電池への充電を行なわないことを特徴とする請求項１０に記載の充電制御装置。
【請求項１３】
前記制御手段は、前記要因特定手段によりユーザによる電源切断と特定された場合は、前記二次電池への充電を行なわないことを特徴とする請求項１０に記載の充電制御装置。
【請求項１４】
前記制御手段は、前記要因特定手段によりユーザによる電源切断と特定された場合は、前記要因特定手段により停電と特定されたときの前記二次電池の充電時間よりも短い充電時間で前記二次電池に充電を行うことを特徴とする請求項１０に記載の充電制御装置。
【請求項１５】
前記負荷は、少なくとも揮発性の記憶手段を含むことを特徴とする請求項１乃至１４のいずれか１項に記載の充電制御装置。
【請求項１６】
前記二次電池の終端電圧を検知する電圧検知手段をさらに有し、
前記制御手段は、電源供給が開始されたときに前記電圧検知手段の検知結果が予め設定されたしきい値より低い場合は、前記要因特定手段の結果に関わらず、前記二次電池の充電を行うことを特徴とする請求項１乃至１５のいずれか１項に記載の充電制御装置。
【請求項１７】
前記負荷に所定の画像データが記憶されている場合は、予め設定された時刻もしくは時間経過後にソレノイド内蔵の電源ＳＷにより電源を切断するソフト制御による電源切断を行わないことを特徴とする請求項１乃至１６のいずれか１項に記載の充電制御装置。
【発明の詳細な説明】
【技術分野】
【０００１】
本発明は、充電制御装置に関し、特にバックアップ電源として組み込まれた二次電池の停電時と自動電源切断モード時における充放電制御に関する。
【背景技術】
【０００２】
ファクシミリ装置やデジタル複合機等の画像処理装置では、装置に供給される商用電源（ＡＣ電源）が切断されたときの一時的なバックアップ用の電源として、リチウム電池やニッケル水素電池などの二次電池が用いられる。例えば、停電等により商用電源が切断された場合、二次電池から電源が供給され、装置に組み込まれたＤＲＡＭなどの揮発性メモリに格納されたデータを保持し続けられる。このように、停電時に確実にデータを保持し続けるために、商用電源が切断されると二次電池から電気の供給が開始され、その状態が、二次電池の蓄電量がなくなるまで続く。そして、停電が解消して商用電源から電気が供給され始めた場合、二次電池の蓄電量が減っているときは、二次電池への充電が開始される。
【０００３】
ところが、停電でないときでも商用電源が切断／接続される度に二次電池への充放電が繰り返されている。二次電池の寿命は、充放電の回数に大きく依存していることから、確実に停電を検知することができれば、無駄な電力の消費や不要な二次電池への充放電を防ぐことが可能である。停電を検知した上で電力切り替えを行う制御に関しては、例えば、特許文献１が提案されている。
【先行技術文献】
【特許文献】
【０００４】
【特許文献１】特開２００３−１３６８１４号公報
【発明の概要】
【発明が解決しようとする課題】
【０００５】
ファクシミリ機能付きの複合機では、一般的に、バックアップデータの対象が、ＦＡＸ通信により送受信した画像データであることが多いため、電源が毎日切断されることはない。
【０００６】
ところが近年、ファクシミリ機能付きの複合機には、省エネの観点から毎日設定された時刻になるとタイマーにより電源を自動的に切断したり、帰宅時に商用電源を意図的に切断するオートシャットオフ機能を有するものがある。そのため、従来よりも、バックアップ用の電源である二次電池への充放電の回数が急増し、二次電池の寿命が短くなる懸念がある。この対策として高価な高寿命電池の採用や、電池の途中交換が必要となり、トータルコストが高くなるおそれがある。
【０００７】
また、上記特許文献１では、電源切断の要因を特定し、その後の充放電方法を制御するものではない。
【０００８】
本発明は、上記問題に鑑みて成されたものであり、オートシャットオフ機能等により電源のＯＮ／ＯＦＦが繰り返される環境でも二次電池の充放電回数を低減し、コストアップすることなく二次電池の寿命劣化を防止する充電制御装置を提供することを目的とする。
【課題を解決するための手段】
【０００９】
上記目的を達成するために、本発明の充電制御装置は、装置電源による負荷への電源供給が停止したときに、前記装置電源に代わって前記負荷へ電源供給を行う二次電池の充電制御装置であって、前記負荷と前記二次電池との間に挿入され、前記二次電池から前記負荷への給電／切断を切り替えるスイッチ手段と、前記電源供給が停止したときに当該停止の要因を特定する要因特定手段と、前記要因特定手段により特定された停止の要因に応じて、前記スイッチ手段により前記二次電池から前記負荷への給電を制御する制御手段とを備えることを特徴とする。
【発明の効果】
【００１０】
本発明によれば、停電時には確実に二次電池によるメモリへの給電を実施する一方、ユーザーによる電源ＯＦＦ時には、二次電池によるメモリへの給電を停止することで、再度電源ＯＮされた場合でも二次電池への無駄な充電を防止することができる。その結果、二次電池への充放電回数を低減して電池寿命を延ばすことが可能となる。
【図面の簡単な説明】
【００１１】
【図１】本発明の第１の実施形態に係る充電制御装置が適用された画像処理装置のシステム構成の一例を示す図である。
【図２】図１の画像処理装置における二次電池の充電回路の一例を示す図である。
【図３】連続充電時とトリクル充電時の充電電流の違いを説明するための図である。
【図４】図２の充電回路における充電制御処理の流れを示すフローチャートである。
【図５】図４のステップＳ５１１における二次電池の放電処理の詳細を示すフローチャートである。
【図６】図２の充電回路における二次電池によるＲＡＭへの給電制御方法を説明するためのブロック図である。
【図７】電源ＳＷ２０１の概略構成を示す図であり、（ａ）はスイッチがＯＮの状態、（ｂ）はスイッチがＯＦＦの状態を示す。
【図８】ラッチ回路１とラッチ回路２のラッチ状態から電源が切断された要因を特定するための判定表の一例を示す図である。
【図９】本発明の第１の実施形態に係る充電制御装置の充電制御処理の一例を示すフローチャートである。
【図１０】本発明の第２の実施形態に係る充電制御装置の充電制御処理の一例を示すフローチャートである。
【図１１】（ａ）〜（ｄ）電源切断時における電源ＳＷ２０１の各端子電圧の状態を示す図である。
【発明を実施するための形態】
【００１２】
以下、本発明の実施の形態を図面を参照して詳細に説明する。
【００１３】
［第１の実施形態］
図１は、本発明の第１の実施形態に係る充電制御装置が適用された画像処理装置のシステム構成の一例を示す図である。
【００１４】
本発明の実施形態に係る充電制御装置が適用された画像処理装置には、ファクシミリ装置やＭＦＰ（Multi Function Peripheral）、デジタル複合機などが挙げられる。特に、本発明は、不揮発性記憶装置（ハードディスクドライブや半導体ディスクドライブなど）を装備していない画像処理装置に好適である。
【００１５】
ＣＰＵ１０９は、システム全体を制御するコントローラとして機能する。ＲＡＭ１１６は、ＤＲＡＭ等の揮発性メモリであり、ＣＰＵ１０９が動作するためのシステムワークメモリとして、また画像データを一時記憶するための画像メモリとして使用される。本実施形態では、ＲＡＭ１１６が後述する二次電池によるバックアップ対象となる。
【００１６】
ＲＯＭ３０３は、ブートＲＯＭとして機能し、システムのブートプログラムが格納されている。操作部Ｉ／Ｆ３０４は、操作部（ＵＩ）３０５とのインターフェースとして機能し、操作部３０５に表示する画像データを操作部３０５に対して出力する。また、操作部３０５から本システム使用者が入力した情報を、ＣＰＵ１０９に伝える役割をする。
【００１７】
ネットワークインターフェース（ＬＡＮＩ／Ｆ）３０６は、ＬＡＮ３０７に接続し、情報の入出力を行う。モデム（ＭＯＤＥＭ）３０８は、公衆回線３０９に接続し、情報の入出力を行う。
【００１８】
以上の各部がシステムバス３１１上に配置され、システムバス３１１を介して情報をやり取りする。
【００１９】
イメージバスインターフェース（Ｉｍａｇｅ  ＢｕｓＩ／Ｆ）３０１は、システムバス３１１と画像データを高速で転送する画像バス３１２を接続し、データ構造を変換するバスブリッジである。画像バス３１２は、ＰＣＩバスなどの高速バスで構成される。なお、画像バス３１２上には後述するデバイスが配置される。
【００２０】
デバイスＩ／Ｆ部３１３は、画像入出力デバイスであるスキャナ部３１５やプリンタ部３１６と画像バス３１２を接続し、画像データの同期系／非同期系の変換を行う。画像処理部３１４は、入力画像データに対して補正、加工、編集を行い、プリント出力画像データに対して、プリンタの補正、解像度変換等を行う。
【００２１】
装置電源１０３は、ＡＣ電源１０４からの電力をＡＣ／ＤＣ変換、ＤＣ／ＤＣ変換等を行って装置内部に供給する電源を生成する。
【００２２】
本実施形態における画像処理装置では、ＦＡＸ受信を行った場合、受信した画像データが一旦ＲＡＭ１１６に格納される。また、本画像処理装置では、ユーザーの指示によってメモリ受信（メモリに画像データを蓄積し、指定したタイミングで記録紙に画像を出力する受信方法）することも可能である。さらに、記録紙が切れている状態でＦＡＸ受信を行った場合、受信した画像データは記録紙に出力されることなくＲＡＭ１１６に格納された状態で保持される。
【００２３】
ＲＡＭ１１６に受信した画像データが保持された状態で、装置に供給されるＡＣ電源が停電などで切断されてしまうと、ＲＡＭ１１６に格納された画像データ等は消えてしまう恐れがある。そこで、停電などに備えて、二次電池１０１によりＲＡＭ１１６のセルフリフレッシュ状態をバックアップする構成をとる。
【００２４】
バックアップ用電源である二次電池１０１によりＲＡＭ１１６がセルフリフレッシュを実行している状態で、装置に供給される電源が復帰すると、ＣＰＵ１０９は、ＲＡＭ１１６に格納された情報がバックアップされていたか否かを判定する。バックアップされていればＲＡＭ１１６に格納された情報をＦＡＸ受信画像として扱う。
【００２５】
次に、図１の画像処理装置における充電回路の回路構成について説明する。
【００２６】
図２は、図１の画像処理装置における二次電池の充電回路の一例を示す図である。図中の太線は電源系統を示しており、細線は制御信号の伝達を示している。
【００２７】
装置電源１０３から常時通電の電源系統１０５と非・常時通電の電源系統１０６が延びている。非・常時通電の電源系統１０６とは、待機中の消費電力を低減するために、「省電力モード」（省エネモード／エネルギーセーブモード等とも呼ぶ場合がある）に移行した際に切断される電源系統のことである。「省電力モード」へ移行すると、ＣＰＵ１０９から非・常時通電電源ＯＦＦ信号１１７を受けて装置電源１０３にて非・常時通電の電源系統１０６を切断する。
【００２８】
常時通電の電源系統１０５は、「省電力モード」に移行しても必要最低限の機能を有効にするために必要な電気回路に電源を供給する電源系統である。常時通電の電源系統１０５は「省電力モード」に移行しても電源が切断されることはない。
【００２９】
二次電池１０１は、商用電源などのＡＣ電源１０４から供給される電力によって充電される。二次電池１０１の充電には常時通電の電源系統１０５を用いる。常時通電の電源系統１０５に接続された定電流回路１０２によって、二次電池１０１に対して一定の電流で充電が行われる。
【００３０】
定電流回路１０２は、二次電池１０１の充電切替を行う必要があるので、常時通電の電源系統１０５から供給される電源により動作する。定電流回路１０２は、充電制御回路１０７からの充電制御信号１１１に基づいて、二次電池１０１に対する充電方法を、比較的大電流で急速連続的に充電する連続充電または二次電池１０１の自己放電分のみ補うためのトリクル充電に切り替える。
【００３１】
電圧検知回路１０８は、常時通電の電源系統１０５から供給される電源により動作し、二次電池１０１の電池電圧１１３を常に監視している。例えば、電池電圧１１３が所定電圧を超えた場合、充電方式切替信号１１２を電圧検知回路１０８から充電制御回路１０７へ出力する。
【００３２】
充電制御回路１０７は、電圧検知回路１０８、ＣＰＵ１０９、または装置電源監視回路１１０のいずれかから充電方式切替信号１１２を受信した場合、連続充電からトリクル充電へ切り替えるための充電制御信号１１１を生成して定電流回路１０２に送信する。
【００３３】
ＣＰＵ１０９は、二次電池１０１への充電開始から時間をカウントし、所定時間経過したことを通知するタイマー回路を有する。充電開始から所定時間が経過した場合に、充電方式切替信号１１２を充電制御回路１０７へ出力する。
【００３４】
装置電源監視回路１１０は、省電力モードへの移行等により非・常時通電の電源系統１０６が切断されたことを検知する回路である。非・常時通電の電源系統１０６が切断されたことを検知した場合、装置電源監視回路１１０から充電制御回路１０７に対して充電方式切替信号１１２を出力する。
【００３５】
停電等によりＡＣ電源１０４が切断された場合は、装置電源１０３から一切の電源供給が断たれることになる。その場合は、自動的に二次電池１０１からバックアップ電源系１１５を通じて、負荷系であるＲＡＭ１１６へ電源供給が開始される。なお、ダイオード１１４は、二次電池１０１によるバックアップ電源供給時に定電流回路１０２より前段の回路に電流が逆流しないために配置された逆流防止装置である。
【００３６】
次に、パルス状のトリクル充電を行う、パルストリクル充電について図３を用いて説明する。
【００３７】
図３は、連続充電時とトリクル充電時の充電電流の違いを説明するための図である。
【００３８】
トリクル充電は、前述の通り、連続充電にて二次電池１０１が満充電になった（或いは、満充電に順ずる条件を満たした）場合に、二次電池１０１の自己放電による電流容量抜けを補う充電をさす。
【００３９】
図２に示す充電回路では、二次電池１０１の満充電が検知されるまでは、一定電流Ｉで充電を行う。一方、満充電検知後は連続充電を終了し、一定期間（Ｔｏｆｆ）のＯＦＦ時間と、一定期間（Ｔｏｎ）のＯＮ時間を繰り返す充電を行う。Ｔｏｎ及びＴｏｆｆは電池容量によって異なるが、２４時間当たりの自己放電分（一般に、ニッケル水素二次電池の場合は電池容量の数％程度）に相当する電流を二次電池１０１に流せるような配分で設計される。また、充電ＯＮ時間とＯＦＦ時間の関係は、一般的にＴｏｎ≪Ｔｏｆｆとなる。
【００４０】
電圧検知回路１０８が満充電状態を検知せず且つＣＰＵ１０９が省電力モード移行による非・常時通電の電源系統１０６の切断でカウント制御不可能になった場合でも、装置電源監視回路１１０が非・常時通電の電源系統１０６の切断を検知する。その結果、充電方式切替信号１１２を装置電源監視回路１１０から充電制御回路１０７へ出力するので、二次電池１０１が連続充電状態で充電され続けることを防ぎ、過充電を防止することができる。
【００４１】
次に、図２に示す充電回路の二次電池１０１の充電時の充電制御処理の流れを図４を参照して説明する。
【００４２】
図４は、図２の充電回路における充電制御処理の流れを示すフローチャートである。
【００４３】
図４において、ＡＣ電源１０４からの電源供給が開始される（ステップＳ５０１）と、電圧検知回路１０８が二次電池１０１の電池電圧を検知する（ステップＳ５０２）。
【００４４】
次に、電圧検知回路１０８が検知した二次電池１０１の電池電圧が、満充電状態を示す予め定められたしきい値より小さければ（ステップＳ５０３でＹＥＳ）、ステップＳ５０４へ移行する。一方、ＡＣ電源１０４の通電時から二次電池１０１の電池電圧がしきい値を超えていた場合（ステップＳ５０３でＮＯ）、ステップＳ５０９へ進み、自己放電分のみ補うトリクル充電へ切り替える。
【００４５】
ステップＳ５０４では、ＣＰＵ１０９は、タイマー回路のタイマーをリセットして、充電時間のカウントアップを開始する。それとほぼ同時に、二次電池の連続充電（定電流急速充電）を開始する（ステップＳ５０５）。
【００４６】
ステップＳ５０５にて連続充電を開始した後は、次のいずれかの条件を満たした場合に連続充電からトリクル充電へ充電方法を切り替える（ステップＳ５０６〜Ｓ５０８）。
【００４７】
１）二次電池１０１の電池電圧が予め設定されたしきい値以上に達した場合（ステップＳ５０６でＹＥＳ）
２）充電時間が予め設定された所定時間を経過した場合（ステップＳ５０７でＹＥＳ）
３）省電力モードへの移行により、非・常時通電系１０６がＯＦＦ（切断）された場合（ステップＳ５０８でＹＥＳ）
上記３つの条件のいずれにも該当しない場合は、連続充電を継続する（ステップＳ５０５）。
【００４８】
ステップＳ５０９以降は、予期せぬＡＣ電源１０４の切断に備えて、トリクル充電によって二次電池１０１の満充電状態で維持する。ＡＣ電源１０４がＯＦＦになった場合は（ステップＳ５１０でＹＥＳ）、二次電池１０１の放電処理へと進む（ステップＳ５１１）。
【００４９】
一方、ステップＳ５０８の条件（非・常時通電系１０６のＯＦＦ）でトリクル充電へ移行した場合、ステップＳ５１２の条件（非・常時通電系１０６のＯＮ）（ステップＳ５１２でＹＥＳ）によって再度ステップＳ５０２から充電フローを繰り返す。これは、二次電池１０１が満充電状態をむかえる前に非・常時通電電源のＯＦＦによってトリクル充電へ切り替わった場合、非・常時電源系復帰後に、再度満充電目指して連続充電を再開させるためである。
【００５０】
次に、図４のステップＳ５１１における二次電池の放電処理の詳細について図５を用いて説明する。
【００５１】
図５は、図４のステップＳ５１１における二次電池の放電処理の詳細を示すフローチャートである。
【００５２】
図５において、ＡＣ電源１０４のＯＦＦが検知されると、ＣＰＵ１０９は、バックアップ対象となるＲＡＭ１１６をセルフリフレッシュモードへ移行させる（ステップＳ６０１）。それとほぼ同時に、二次電池１０１からＲＡＭ１１６への電源供給を開始する（ステップＳ６０２）。
【００５３】
二次電池１０１からＲＡＭ１１６への電源供給中は、電圧検知回路１０８により電池電圧を検知して、予め設定された電池終端電圧に達したときは（ステップＳ６０３でＹＥＳ）、二次電池１０１からＲＡＭ１１６を切り離す（ステップＳ６０４）。
【００５４】
図６は、図２の充電回路における二次電池１０１によるＲＡＭ１１６への給電制御方法を説明するためのブロック図である。
【００５５】
２０１は、ラッチングソレノイド内蔵の電源ＳＷである。電源ＳＷ２０１の概略構成と動作について図７（ａ）、図７（ｂ）を参照して説明する。
【００５６】
図７（ａ）に示すように、内部の吸引用コイル７０１に電流が流れていないため、電源ＳＷ２０１内の３ピンと４ピン間において導通有の状態を保つことが可能である。
【００５７】
ＣＰＵ１０９のソフト制御により電源ＳＷ２０１をＯＮからＯＦＦに切り替える場合、吸引用コイル７０１に電流を流すことにより当該吸引用コイル７０１を励磁させる。そして、電源ＳＷ２０１内の３ピンと４ピンを接続していた通電用可動部分７０２をコイル側に吸引する（図７（ｂ））。その後は、内蔵された永久磁石の保持力で状態を保持継続する（ラッチングソレノイドの動作原理）。このように、電源ＳＷ２０１内の３ピンと４ピン間の導通を切断することが可能となり、電源ＳＷ２０１をソフト制御によって自動的にＯＦＦすることができる。
【００５８】
一方、電源ＳＷ２０１をＯＦＦからＯＮに切り替える場合は、ユーザーが外部から電源ＳＷ２０１を操作してＯＮさせる必要がある。電源ＳＷ２０１は、シーソースイッチの構造も伴っており、ユーザーなどの操作により電源ＳＷ２０１をＯＦＦすることも可能である。なお、電源ＳＷ２０１のピン配置は、図示例に限定されるものではない。
【００５９】
上記構成により、画像処理装置では、オートシャットオフ機能による電源ＯＦＦが可能となる。オートシャットオフ機能とは、ある設定時間になると電源が自動的に切断される機能のことである。自動電源切断機能とも呼ばれるが、以後は、オートシャットオフ機能と称する。オートシャットオフ機能では、操作部３０５にてＯＮ／ＯＦＦを設定することができる。ＯＮに設定されるとオートシャットオフモードへと移行する。
【００６０】
２０７は一次電池であり、タイマー回路２０９に接続されている。一次電池２０７は、装置電源１０３が切断されたときでも、タイマー回路２０９に電源を供給するためのものである。タイマー回路２０９はＣＰＵ１０９に接続されている。なお、タイマー回路２０９は、ＣＰＵ１０９に内蔵されていても、図示のようにＣＰＵ１０９に接続された周辺回路であってもよい。
【００６１】
ＣＰＵ１０９は、タイマー回路２０９に対して時間設定を行うことができる。タイマー回路２０９は、設定された時刻または時間経過後に、ＣＰＵ１０９に対して割り込み信号等を送信する。ＣＰＵ１０９は、タイマー回路２０９から割り込み信号等を受信すると、ドライバー回路２０２により電源ＳＷ２０１を切断するように制御する。再度電源を入れるときには、ユーザーによる電源ＳＷ２０１への切り替え操作が必要となる。
【００６２】
電源ＳＷ２０１の１ピンには、装置電源１０３から非常時通電の電源が供給されており、反対側の２ピンにはドライバー回路２０２が接続されている。また、電源ＳＷ２０１内の１ピンと２ピンの間はソレノイドを構成する吸引用コイルが接続されている。
【００６３】
ドライバー回路２０２は、ＣＰＵ１０９からの制御信号により電源ＳＷ２０１内の吸引用コイルへの電流制御を行う。ユーザーが操作部３０５を介してオートシャットオフの時刻を設定する。その時刻になったことを示すタイマー回路２０９からの信号によりＣＰＵ１０９は電源ＳＷ２０１をＯＦＦに切り替える。このように、図示の回路では、ＣＰＵ１０９がソフト制御により電源をＯＦＦすることができる。なお、図示例では、装置電源１０３の下流に電源ＳＷ２０１が配置されているが、装置電源１０３の上流側に配置されていてもかまわない。
【００６４】
ＳＷ２０６は、二次電池１０１とＲＡＭ１１６との間に挿入されており、ＣＰＵ１０９からの制御信号により、二次電池１０１からＲＡＭ１１６への給電／切断を切り替える。ＳＷ２０６により二次電池１０１からＲＡＭ１１６への給電が断たれると、ＲＡＭ１１６に記憶された画像データ等が消失する。
【００６５】
ラッチ回路１＿２０４は、ＣＰＵ１０９からＳＷ２０６への制御信号を保持（ラッチ）する回路であり、ＣＰＵ１０９が上述したソフト制御により電源切断（電源ＯＦＦ）を行った場合は、その履歴をラッチ（ＯＮ）する。電源ＳＷ２０１がＯＮされたときに、ＣＰＵ１０９はラッチ回路１＿２０４の状態を確認することで、前回の電源切断が、ＣＰＵ１０９により行われたかを判断できる。例えば、ラッチ回路１＿２０４の状態がＯＦＦの場合は、ソフト制御によるオートシャットオフではなく、ユーザーが電源ＳＷ２０１をＯＦＦしたか、もしくは停電により電源が切断されたと判断できる。
【００６６】
また、ラッチ回路１＿２０４は、電源ＳＷ２０１がＯＮのときには、装置電源１０３から常時通電の電源が供給されている。電源ＳＷ２０１のＯＦＦにより常時通電がない場合は、二次電池１０１からダイオード２０５を介して電源が供給される。ダイオード２０５は、その際に電流が逆流することを防止するためのものである。
【００６７】
ＲＡＭ１１６（負荷系）は、ダイオード１１４を介して、装置電源１０３から常時通電の電源が供給される。常時通電の電源が供給されなくなった場合は、二次電池１０１からＳＷ２０６を介して電源が供給される。抵抗２０８は、極性を検知するためのプルダウン抵抗である。
【００６８】
ラッチ回路２＿２０３は、図示のように、電源ＳＷ２０１の４ピン側に接続されており、装置電源１０３から電源ＳＷ２０１を介して供給される電源の有無を保持（ラッチ）する回路である。電源ＳＷ２０１がＯＮのまま電源が切断された場合、図１１（ｃ）に示すように、電源ＳＷ２０１の４ピン側の出力電圧は徐々に低下する。これが停電時に相当する。一方、電源ＳＷ２０１がＯＦＦされたことにより電源が切断された場合、図１１（ｄ）に示すように、電源ＳＷ２０１の４ピン側の出力電圧が急激に低下する。このような違いを検知して、電源供給が停電によるものか、ユーザーによる意図的な電源ＯＦＦかを判断することができる。本実施形態では、図１１（ｄ）に示すように、電源ＳＷ２０１の４ピン側の出力電圧が急激に低下した場合は、その履歴をラッチ回路２＿２０３によりラッチ（ＯＮ）する。なお、上述したソフト制御による電源切断時にも図１１（ｄ）と同じ状態となる。
【００６９】
何らかの要因で電源が切断された後、再度電源ＯＮされたとき、ＣＰＵ１０９はラッチ回路２＿２０３の状態を確認することで、電源切断の要因が停電によるものか、それ以外かを判断することができる。それ以外には、ユーザーによる意図的な電源ＯＦＦが含まれる。ラッチ回路２＿２０３の履歴がラッチされていない場合は、停電により電源が切断したと判断できる。このように、例えばＣＰＵ１０９は要因特定手段として機能する。
【００７０】
図８は、ラッチ回路１＿２０４とラッチ回路２＿２０３のラッチ状態から電源が切断された要因を特定するための判定表の一例を示す図である。
【００７１】
ＣＰＵ１０９は、ラッチ回路１＿２０４がラッチ（ＯＮ）していると判断した場合は、図示の判定表から電源が切断された要因がソフト制御によるオートシャットオフであると判断する。また、ラッチ回路１＿２０４がＯＦＦ、かつラッチ回路２＿２０３がＯＮしていると判断した場合は、電源が切断された要因がユーザーによる電源ＳＷのＯＦＦと判断する。さらに、ラッチ回路１＿２０４がＯＦＦで、かつラッチ回路２＿２０３がＯＦＦの場合には、電源が切断された要因が停電であると判断する。
【００７２】
図９は、本発明の第１の実施形態に係る充電制御装置の充電制御処理の一例を示すフローチャートである。本処理は、ＣＰＵ１０９がＲＯＭ３０３から制御プログラムを読み出して実行することにより実現される処理である。
【００７３】
図９において、ＣＰＵ１０９は、オートシャットオフの設定がＯＮか否かを判定し（ステップＳ７００）、オートシャットオフ設定がＯＮと判定した場合はステップＳ７０１に進む。一方、オートシャットオフ設定がＯＦＦと判定した場合は、本処理を終了し（ステップＳ７０２）、従来の制御処理が実行される。
【００７４】
ステップＳ７０１では、ＣＰＵ１０９は、ＲＡＭ１１６に保持し続けなければならないデータが有るか否かを判定する。ここでは、ＦＡＸ設定がメモリ受信モードになっている場合やＲＡＭ１１６にＳＥＮＤデータが格納されていた場合には（ステップＳ７０１でＹＥＳ）、オートシャットオフ設定がＯＮであったとしても、従来の制御処理が実行される（ステップＳ７０２）。これはＲＡＭ１１６に保持し続けるべきデータが電源切断により消失することを防ぐためである。一方、ステップＳ７０１でＮＯの判定の場合、ＣＰＵ１０９はオートシャットオフモードに移行する（ステップＳ７０３）。
【００７５】
次に、ステップＳ７０４では、ＣＰＵ１０９は、タイマー回路２０９を利用して、ユーザーが設定したオートシャットオフの設定時刻に達したか否かを判定し、達した場合にはステップＳ７０５に進む。
【００７６】
ステップＳ７０５では、ＣＰＵ１０９は、二次電池１０１とＲＡＭ１１６の間に配置されているＳＷ２０６をＯＦＦすることで、二次電池１０１からＲＡＭ１１６に対する給電を停止する。ラッチ回路１＿２０４は、ＣＰＵ１０９からＳＷ２０６へ送信された制御信号に応じて、その履歴をラッチ（ＯＮ）する（ステップＳ７０６）。二次電池１０１からＲＡＭ１１６への給電が停止するため、ＲＡＭ１１６に格納されていたデータは消失する。一方、二次電池１０１からＲＡＭ１１６への給電が行われないので、二次電池１０１の蓄積量はほとんど低下しない。
【００７７】
次に、ステップＳ７０７では、ＣＰＵ１０９は、ドライバー回路２０２により電源ＳＷ２０１をＯＦＦして、画像処理装置の電源をＯＦＦする（ステップＳ７０８）。
【００７８】
次に、ステップＳ７０９では、ＣＰＵ１０９は、電源がＯＮされたか否かを判定し、電源がＯＮされた場合は、ステップＳ７１０に進む。ステップＳ７１０では、ＣＰＵ１０９は、ラッチ回路１＿２０４のラッチ状態を確認し、ラッチしているか否かを判定する。ラッチ回路１＿２０４がラッチ（ＯＮ）している場合（ステップＳ７１０でＹＥＳ）、ＣＰＵ１０９は、前回の電源切断の要因がソフト制御によるオートシャットオフであると判断して、ステップＳ７１１に進む。ステップＳ７１１では、ＣＰＵ１０９は、二次電池１０１の蓄積電荷の消失がほとんどなく、二次電池１０１が略満充電と判断して、充電することなく、スタンバイ状態に移行する。
【００７９】
一方、ステップＳ７１０でラッチ回路１＿２０４がラッチしていない（ＯＦＦ）場合（ステップＳ７１０でＮＯ）、ＣＰＵ１０９は、前回の電源切断がオートシャットオフでなく、停電等によるものと判断して、ステップＳ７１２に移行する。なお、電圧検知回路１０８による検知結果から二次電池１０１に十分な電荷が蓄積されていないと判断された場合にもステップＳ７１２へ移行する。
【００８０】
ステップＳ７１２では、ＣＰＵ１０９は二次電池１０１の充電を開始する。その後、図４に示す処理のステップＳ５０２以降の処理が実行される。
【００８１】
なお、上記処理では、ステップＳ７０５〜Ｓ７０７の順番は入れ替えてもかまわない。
【００８２】
第１の実施形態では、停電時には確実に二次電池によるメモリへの給電を実施する一方、ユーザーによる電源ＯＦＦ時には、二次電池によるメモリへの給電を停止することで、再度電源ＯＮされた場合でも二次電池への無駄な充電を防止することができる。その結果、二次電池への充放電回数を低減して電池寿命を延ばすことが可能となる。
【００８３】
［第２の実施形態］
本発明の第２の実施の形態では、図１〜図８に示す内容が上記第１の実施の形態と同じであり、第１の実施の形態と同様の部分については、同一の符号を用いてその説明を省略する。以下に、上記第１の実施の形態と異なる点のみを説明する。
【００８４】
図１０は、本発明の第２の実施形態に係る充電制御装置の充電制御処理の一例を示すフローチャートである。本処理は、ＣＰＵ１０９がＲＯＭ３０３から制御プログラムを読み出して実行することにより実現される処理である。
【００８５】
ステップＳ８０１では、ＣＰＵ１０９は、ＡＣ電源１０４の電圧低下を検知することで、商用電源の供給が停止されたか否かを判定する。ＡＣ電源１０４の電圧は、図１１（ａ）に示すように、電源切断時から低下するが、図１１（ｂ）に示すように、Ａ区間では、装置電源１０３が給電状態にあるため、ＣＰＵ１０９によるＡＣ電源１０４の電圧検知が可能である。
【００８６】
ステップＳ８０２では、ＣＰＵ１０９は、ラッチ回路２＿２０３のラッチ状態を確認し、電源ＳＷ２０１がＯＦＦされたか否かを判定する。ラッチ回路２＿２０３がラッチ（ＯＮ）しているときは、電源ＳＷ２０１がＯＦＦされたと判定し（ステップＳ８０２ＹＥＳ）、ＣＰＵ１０９は、ユーザーによる電源切断と判断して、ステップＳ８０３に進む。ステップＳ８０３では、ラッチ回路２＿２０３のラッチ状態（ＯＮ）がそのまま維持され、ステップＳ８０４へ移行する。ラッチ回路２＿２０３は、装置電源１０３からの給電がない場合は二次電池１０１から給電され、装置電源１０３からの給電がある場合は当該装置電源１０３から給電されるので、次の電源ＯＮ時（ステップＳ８１１でＹＥＳ）まで情報を保持できる。
【００８７】
一方、ステップＳ８０２において、ラッチ回路２＿２０３がラッチしていないときは、電源ＳＷ２０１がＯＦＦされていないと判定し（ステップＳ８０２でＮＯ）、ＣＰＵ１０９は、停電等による電源切断と判断して、ステップＳ８０５へ進む。ステップＳ８０５，Ｓ８０６では、ＣＰＵ１０９は、一定時間（ここでは１時間）のみ二次電池１０１からＲＡＭ１１６への給電を行い、その後、ＲＡＭ１１６への給電を停止して、ステップＳ８１１へ進む。二次電池１０１はＲＡＭ１１６への給電を行うので蓄電量が低下する。なお、本実施形態では、二次電池１０１からＲＡＭ１１６への１時間の給電が行われるが、この時間は製品仕様に応じて適宜設定変更が可能である。
【００８８】
ステップＳ８０４では、ＣＰＵ１０９は、サービスマンうっかり設定が設定されているか否かを判定する。このサービスマンうっかり設定は、ＦＡＸ受信をメモリ受信にしているにも関わらず、ユーザーがうっかり電源をＯＦＦにしたり、サービスマンがユーザー先で設定を確認せずにうっかり電源ＯＦＦしてしまうことを防止するための設定である。この設定は、操作部３０５にてユーザーにより行われる。
【００８９】
ステップＳ８０４で設定があると判断した場合、ＣＰＵ１０９は、予め決められたＡ時間だけ二次電池１０１からＲＡＭ１１６への給電を行い、Ａ時間経過後、ＲＡＭ１１６への給電を停止する（ステップＳ８０７，Ｓ８０８）。この給電時間：Ａ時間は、一般的にはステップＳ８０６で実行される給電の給電時間（１時間）よりも短い時間が設定されることとなる。
【００９０】
一方、ステップＳ８０４で設定がないと判断した場合、ＣＰＵ１０９は、二次電池１０１とＲＡＭ１１６の間に配置されているＳＷ２０６をＯＦＦすることで、二次電池１０１からＲＡＭ１１６に対する給電を停止する（ステップＳ８０９）。ラッチ回路１＿２０４は、ＣＰＵ１０９からＳＷ２０６へ送信された制御信号に応じて、その履歴をラッチ（ＯＮ）する（ステップＳ８１０）。二次電池１０１からＲＡＭ１１６への給電が停止するため、ＲＡＭ１１６に格納されていたデータは消失する。一方、二次電池１０１からＲＡＭ１１６への給電が行われないので、二次電池１０１の蓄電量はほとんど低下しない。
【００９１】
ステップＳ８１１では、ＣＰＵ１０９は、電源がＯＮされたか否かを判定し、電源がＯＮされた場合は、ステップＳ８１２に進む。ステップＳ８１２では、ＣＰＵ１０９は、ラッチ回路１＿２０４のラッチ状態を確認し、ラッチしているか否かを判定する。ラッチ回路１＿２０４がラッチ（ＯＮ）している場合は（ステップＳ８１２でＹＥＳ）、ステップＳ８１３に進む。ステップＳ８１３では、ＣＰＵ１０９は、上述したサービスマンうっかり設定が設定されているか否かを判定する。設定があると判断した場合、ＣＰＵ１０９は、ステップＳ８０８で給電したＡ時間に相当する分の充電を行う。一方、設定がない場合は、充電せずに（ステップＳ８１４）、本処理を終了する。
【００９２】
一方、ステップＳ８１２でラッチ回路１＿２０４がラッチしていない（ＯＦＦ）場合（ステップＳ８１２でＮＯ）、ステップＳ８１５へ進み、ＣＰＵ１０９は二次電池１０１の充電を開始する。その後、図４に示す処理のステップＳ５０２以降の処理が実行される。
【００９３】
なお、上記処理において、ステップＳ８０４，Ｓ８０７，Ｓ８０８は省略してもかまわない。
【００９４】
第２の実施形態では、停電時には確実に二次電池によるメモリへの給電を実施する一方、ユーザーによる電源ＯＦＦ時には、当該ＯＦＦの原因がユーザーのうっかりなものか否かを判定する。そして、うっかりＯＦＦの場合には二次電池によるメモリへの給電を所定時間行う一方、意図的な電源ＯＦＦの場合には給電を停止する。これにより、再度電源ＯＮされた場合でも二次電池への無駄な充電を防止することができ、その結果、二次電池への充放電回数を低減して電池寿命を延ばすことが可能となる。
【００９５】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００９６】
１０１  二次電池
１０３  装置電源
１０７  充電制御回路
１０８  電圧検知回路
１０９  ＣＰＵ
１１６  ＲＡＭ
２０１  ラッチングソレノイド内蔵の電源ＳＷ
２０３  ラッチ回路２
２０４  ラッチ回路１
２０６  ＳＷ
【図１】
2014017996.tif 000003
【図２】
2014017996.tif 000004
【図３】
2014017996.tif 000005
【図４】
2014017996.tif 000006
【図５】
2014017996.tif 000007
【図６】
2014017996.tif 000008
【図７】
2014017996.tif 000009
【図８】
2014017996.tif 000010
【図９】
2014017996.tif 000011
【図１０】
2014017996.tif 000012
【図１１】
2014017996.tif 000013